(57)【要約】【課題】衣服の丈の長さや肩幅の長さに関係なく背凭れの背後に的確に掛けることが出来る椅子を提供する。【解決手段】背凭れ部を有する椅子本体と、衣類を掛けるための衣類掛け部を備えたハンガー本体とが備えられ、ハンガー本体は、前記椅子本体の背凭れ部の背面側に設けられて、この背凭れ部に対して上下方向に位置変更可能であり、また前記ハンガー本体の衣類掛け部が、前記背凭れ部の左右幅方向に伸び縮み可能であるように構成した。【選択図】図１
2010246822.tif 000002
【特許請求の範囲】
【請求項１】
背凭れ部を有する椅子本体と、衣類を掛けるための衣類掛け部を備えたハンガー本体とが備えられ、ハンガー本体は、前記椅子本体の背凭れ部の背面側に設けられて、この背凭れ部に対して上下方向に位置変更可能としていることを特徴とする椅子。
【請求項２】
前記ハンガー本体の衣類掛け部が、前記背凭れ部の左右幅方向に伸び縮み可能であることを特徴とする請求項２に記載の椅子。
【発明の詳細な説明】
【技術分野】
【０００１】
本発明は、衣服を手軽に掛けることができる椅子に関する。
【背景技術】
【０００２】
一般に、レストランなどにおいて、顧客が脱いだ上着を保管するための衣服掛けを別途用意することは、店舗の有効スペースをそれだけ狭めるという不具合がある。
【０００３】
そのため、従来では、脱いだ上着などの衣服を客席の椅子の背凭れに掛けるのが一般的である。
【０００４】
また上着等を掛けるためのハンガー部を背凭れに取り付けた椅子が開発されている。（特許文献１参照。）
しかしながら、コートなどのように丈の長い衣服を椅子の背凭れやこの背凭れに取り付けたハンガー部に架けると、衣服の袖や裾が、床面に付いて床面でこすれるなどにより汚れる不具合がある。
【先行技術文献】
【特許文献】
【０００５】
【特許文献１】実開平６−８１３５０号
【発明の概要】
【発明が解決しようとする課題】
【０００６】
本発明は、以上の実情に鑑みて開発したものであって、目的とするところは、衣服の丈の長さや肩幅の長さに関係なく背凭れの背後に的確に掛けることが出来る椅子を提供することにある。
【課題を解決するための手段】
【０００７】
以上の目的を達成するために、請求項１に記載の発明は、背凭れ部を有する椅子本体と、衣類を掛けるための衣類掛け部を備えたハンガー本体とが備えられ、ハンガー本体は、前記椅子本体の背凭れ部の背面側に設けられて、この背凭れ部に対して上下方向に位置変更可能としていることを特徴とする。
【０００８】
請求項２に記載の発明は、請求項１に記載の椅子において、前記ハンガー本体の衣類掛け部が、前記背凭れ部の左右幅方向に伸び縮み可能であることを特徴とする。
【発明の効果】
【０００９】
請求項１に記載の発明によれば、掛ける衣服の丈の長さに応じて、ハンガー本体を背凭れ部に対して上下方向に位置変更することにより、衣服の丈の長さに関係なく背凭れの背後に的確に掛けることが出来、しかも衣服の裾が不用意に汚れるのを確実に防止することが出来る。
【００１０】
請求項２に記載の発明によれば、請求項１に記載の発明の効果に加え、掛ける衣服の肩幅に応じて、ハンガー本体の衣類掛け部の長さを調整することで、請求項１に記載の発明の効果に加え、肩幅の異なる衣服でも的確にハンガー本体に掛けることが出来る。
【図面の簡単な説明】
【００１１】
【図１】本発明にかかる椅子の一実施形態を示す斜視図。
【図２】同、側面図。
【図３】同、背面図。
【発明を実施するための形態】
【００１２】
以下、本発明の実施形態を、図面を参照して説明する。
【００１３】
まず、図１は本発明にかかる椅子の一実施形態を示す斜視図、図２は、同、側面図、図３は、同、背面図である。
【００１４】
図において符号１で示す椅子は、基本的には、椅子本体２と、衣類を掛けるための衣類掛け部を備えたハンガー本体３と、このハンガー本体３を椅子本体２に支持するための支持部ラケット４とから構成されている。
【００１５】
椅子本体２は、平面視略正方形に形成された座体２１と、この座体２１の下面四隅に組み付けられた４本の脚２２と、座体２１の後端から立ち上がる背凭れ部２３とが備えられている。
【００１６】
この椅子本体２は、基本的には木製であって、座体２１の上面にはクッション２１aが設けられている。
【００１７】
ハンガー本体３は、衣類を掛けるための衣類掛け部３１と、この衣類掛け部３１の長さ方向中央から直線状に下方に延びる支持杆３２とから構成されている。
【００１８】
衣類掛け部３１は、背凭れ部２３の左右幅方向に伸び縮み可能であって、具体的には、支持杆３２の上端に一体形成された衣類掛け杆３１ａと、この衣類掛け杆３１ａの長さ方向両端部にそれぞれスライド可能に挿嵌された筒状の衣類掛け伸縮片３１ｂとから構成され、衣類掛け杆３１aに対する衣類掛け伸縮片３１ｂのスライド動作により、衣類掛け部３１の全長が伸び縮みするようにしている。
【００１９】
支持ブラケット４は、ハンガー本体３の支持杆３２を背凭れ部２３に対して上下方向にスライド可能に支持するための支持部４１と、この支持部４１の左右両端から外方に向かって延びる一対の固定片４２とから断面略ハット型に形成されている。
【００２０】
そして以上の支持ブラケット４は、固定片４２を背凭れ部２３の背面に固定し、支持部４１と背凭れ部２３とで囲まれた空間内に支持杆３２をスライド可能に挿通している。
【００２１】
また支持部４１には、支持杆３２のスライドをロックするためのロック体５が取り付けられている。
【００２２】
このロック体５は、支持部４１に設けた螺子孔(図示せず)に螺合可能な螺子軸５１と、この螺子軸５１の長さ方向一端に設けた操作ノブ５２とから構成され、操作ノブ５２を介して螺子軸５１を支持部４１に対して螺締することで、この螺子軸５１の軸端を支持杆３２の外周面に圧接させて、支持杆３２の背凭れ部２３に対する上下方向のスライドをロックし、操作ノブ５２を介して螺子軸５１を支持部４１に対して螺緩することで、圧接していた螺子軸５１の軸端を支持杆３２の外周面から離間させて、支持杆３２を背凭れ部２３に対してスライドするようにしている。
【００２３】
以上の構成からなる椅子１では、例えば、大人用コートなどの丈の長い衣服をハンガー本体に掛けたい場合には、ロック体５による支持杆３２のスライドロックを解除して、ハンガー本体３を背凭れ部２３に対して所望の高さまで引き上げた上で、再度ロック体５により支持杆３２のスライドをロックする。
【００２４】
続いて、衣服掛け部３１の衣類掛け伸縮片３１b を衣類掛け杆３１aに対して引き出し方向にスライドさせて、図３に示すように、衣服掛け部３１の全長を所望の長さまで広げる。
【００２５】
これにより、丈の長い大人用コートなどの衣服をハンガー本体３に掛けた場合でも、衣服の裾が床に触れて汚れる不具合を確実に抑制することが出来る。
【００２６】
また衣服は、背凭れ部２３の背面後方に収まるので、椅子１に人が腰掛ける際に衣服が邪魔になることはない。
【００２７】
一方、例えば丈の短い子供のオーバーなどの衣服を掛ける場合には、ロック体５による支持杆３２のスライドロックを解除して、ハンガー本体３を背凭れ部２３に対して所望の高さまで降ろした上で、再度、ロック体５により支持杆３２のスライドをロックする。
【００２８】
続いて、衣服掛け部３１の衣類掛け伸縮片３１b を衣類掛け杆３１aに対して格納方向にスライドさせて、図１に示すように、衣服掛け部３１の全長を所望の長さに狭める。
【００２９】
これにより、子供でもハンガー本体３に衣服を容易に掛けることが出来るし、衣服の裾が床に触れて汚れる不具合もない。
【００３０】
また衣服は、背凭れ部２３の背面後方に収まるので、椅子１に人が腰掛ける際にハンガー本体３に掛けた衣服が邪魔になることはない。
【００３１】
また以上の椅子１では、ハンガー本体３を必要としない場合には、ロック体５による支持杆３２のスライドロックを解除した上で、ハンガー本体３の支持杆３２を支持部ラケット４から引き抜いて、このハンガー本体３を椅子本体２から取り外すことで、椅子本体２だけでの使用も可能である。
【符号の説明】
【００３２】
１      椅子
２      椅子本体
２１    座体仕切りハウジング
２１ａ   クッション
２２    脚
２３    背凭れ部
３      ハンガー本体
３１    衣類掛け部
３１ａ  衣類掛け杆
３１ｂ  衣類掛け伸縮片
３２    支持杆
４      支持ブラケット
５      ロック体
【図１】
2010246822.tif 000003
【図２】
2010246822.tif 000004
【図３】
2010246822.tif 000005